(57)【要約】【課題】溶接ワイヤの残量確認作業を容易にして、作業者の負担軽減及び溶接ワイヤの適切な管理を実現する。【解決手段】溶接ワイヤが巻回される円筒状の胴部と、該胴部の両端に設けられた円板状のフランジ部とを備える溶接ワイヤ用スプールにおいて、少なくとも一方の前記フランジ部の表面には、径方向に沿って覗き孔が形成されていると共に、該覗き孔に隣接して前記溶接ワイヤの残量を示す記号が前記溶接ワイヤの種類毎に記されている。【選択図】図１
2012148306.tif 000002
【特許請求の範囲】
【請求項１】
溶接ワイヤが巻回される円筒状の胴部と、該胴部の両端に設けられた円板状のフランジ部とを備える溶接ワイヤ用スプールにおいて、
少なくとも一方の前記フランジ部の表面には、径方向に沿って覗き孔が形成されていると共に、該覗き孔に隣接して前記溶接ワイヤの残量を表す記号が前記溶接ワイヤの種類毎に記されていることを特徴とする溶接ワイヤ用スプール。
【請求項２】
前記覗き孔は、前記フランジ部の径方向に沿って一定間隔で複数形成されており、
前記溶接ワイヤの残量を表す記号として、前記溶接ワイヤの残量を重量で表す文字が前記覗き孔のそれぞれに隣接して前記溶接ワイヤの種類毎に記されていることを特徴とする請求項１に記載の溶接ワイヤ用スプール。
【請求項３】
前記覗き孔は、前記フランジ部の径方向に沿って前記胴部の縁から前記フランジ部の縁に亘る長さで１つ形成されており、
前記溶接ワイヤの残量を表す記号として、前記溶接ワイヤの残量を重量で表す文字と目盛り線が前記覗き孔に隣接して且つ前記覗き孔の長さ方向に沿って一定間隔で前記溶接ワイヤの種類毎に記されていることを特徴とする請求項１に記載の溶接ワイヤ用スプール。
【発明の詳細な説明】
【技術分野】
【０００１】
本発明は、溶接ワイヤ用スプールに関する。
【背景技術】
【０００２】
周知のように、溶接ワイヤは溶接ワイヤ用スプールに巻かれた状態で保管或いは運搬される。溶接時において、この溶接ワイヤ用スプールは溶接機のワイヤ送給機に回転自在に装着される。そして、ワイヤ送給機は溶接ワイヤスプールを回転させて溶接ワイヤを巻き戻しながら、溶接トーチを介して溶接対象部位に送給する（下記特許文献１参照）。
【先行技術文献】
【特許文献】
【０００３】
【特許文献１】特開平９−２５３８４９号公報
【発明の概要】
【発明が解決しようとする課題】
【０００４】
従来、溶接ワイヤ用スプールに巻かれている溶接ワイヤの残量を確認するには、秤の上に対象の溶接ワイヤ用スプールを載せて重量を量る方法しかなかった。そのため、作業者は溶接ワイヤの残量を確認する度に、溶接ワイヤ用スプールの保管場所から秤の設置場所まで対象の溶接ワイヤ用スプールを運搬しなければならず、大きな作業負担を強いられていた。また、工事現場など、秤が近くに設置されていない場所では溶接ワイヤの残量管理ができず、溶接ワイヤの使用量の実績及び溶接ワイヤの交換時期を適切に管理することが困難であった。
【０００５】
本発明は上述した事情に鑑みてなされたものであり、溶接ワイヤの残量確認作業を容易にして、作業者の負担軽減及び溶接ワイヤの適切な管理を実現する溶接ワイヤ用スプールを提供することを目的とする。
【課題を解決するための手段】
【０００６】
上記目的を達成するために、本発明では、溶接ワイヤ用スプールに係る第１の解決手段として、溶接ワイヤが巻回される円筒状の胴部と、該胴部の両端に設けられた円板状のフランジ部とを備える溶接ワイヤ用スプールにおいて、少なくとも一方の前記フランジ部の表面には、径方向に沿って覗き孔が形成されていると共に、該覗き孔に隣接して前記溶接ワイヤの残量を表す記号が前記溶接ワイヤの種類毎に記されていることを特徴とする。
【０００７】
また、本発明では、溶接ワイヤ用スプールに係る第２の解決手段として、上記第１の解決手段において、前記覗き孔は、前記フランジ部の径方向に沿って一定間隔で複数形成されており、前記溶接ワイヤの残量を表す記号として、前記溶接ワイヤの残量を重量で表す文字が前記覗き孔のそれぞれに隣接して前記溶接ワイヤの種類毎に記されていることを特徴とする。
【０００８】
また、本発明では、溶接ワイヤ用スプールに係る第３の解決手段として、上記第１の解決手段において、前記覗き孔は、前記フランジ部の径方向に沿って前記胴部の縁から前記フランジ部の縁に亘る長さで１つ形成されており、前記溶接ワイヤの残量を表す記号として、前記溶接ワイヤの残量を重量で表す文字と目盛り線が前記覗き孔に隣接して且つ前記覗き孔の長さ方向に沿って一定間隔で前記溶接ワイヤの種類毎に記されていることを特徴とする。
【発明の効果】
【０００９】
本発明によれば、溶接ワイヤ用スプールの胴部に溶接ワイヤが巻かれた状態で、フランジ部の覗き孔から見える溶接ワイヤの最外縁と、覗き孔に隣接して記されている溶接ワイヤの残量を表す記号との位置関係から、溶接ワイヤの残量を容易に確認することができる。しかも、溶接ワイヤの残量を表す記号は溶接ワイヤの種類毎に記されているので、溶接ワイヤ用スプールに巻かれている溶接ワイヤの種類に関わらず、溶接ワイヤの残量を容易に確認することができる。
【００１０】
従って、本発明に係る溶接ワイヤ用スプールを用いることで、作業者は溶接ワイヤの残量を確認する際に、溶接ワイヤ用スプールの保管場所から秤の設置場所まで対象の溶接ワイヤ用スプールを運搬する必要がなくなり、また、工事現場など、秤が近くに設置されていない場所でも溶接ワイヤの使用量の実績及び溶接ワイヤの交換時期を適切に管理することができるようになる。このように、本発明に係る溶接ワイヤ用スプールによれば、溶接ワイヤの残量確認作業を容易にして、作業者の負担軽減及び溶接ワイヤの適切な管理を実現することができる。
【図面の簡単な説明】
【００１１】
【図１】第１実施形態に係る溶接ワイヤ用スプールＡの外観図である。
【図２】溶接ワイヤ用スプールＡの作用効果を表す図である。
【図３】第２実施形態に係る溶接ワイヤ用スプールＢの外観図である。
【図４】溶接ワイヤ用スプールＢの作用効果を表す図である。
【発明を実施するための形態】
【００１２】
以下、本発明の一実施形態について、図面を参照しながら説明する。
〔第１実施形態〕
まず、本発明の第１実施形態について説明する。図１は、第１実施形態に係る溶接ワイヤ用スプールＡの外観図である。この図１に示すように、溶接ワイヤ用スプールＡは、溶接ワイヤＷ（図１では図示省略）が巻回される円筒状の胴部１と、該胴部１の両端に設けられた円板状のフランジ部２、３とを備えている。
【００１３】
そして、フランジ部２の表面には、径方向に沿って覗き孔２ａが形成されていると共に、該覗き孔２ａに隣接して溶接ワイヤＷの残量を表す記号２ｂ、２ｃが溶接ワイヤＷの種類毎に記されている。より詳細には、覗き孔２ａは、フランジ部２の径方向に沿って一定間隔で複数形成されており、溶接ワイヤＷの残量を表す記号２ｂ、２ｃとして、溶接ワイヤＷの残量を重量で表す文字が覗き孔２ａのそれぞれに隣接して溶接ワイヤＷの種類毎に記されている。
【００１４】
なお、図１では、一例として、フランジ部２の表面において各覗き孔２ａに隣接して、溶接ワイヤＷがＡｌ（アルミニウム）製である場合の残量を表す記号２ｂと、溶接ワイヤＷがＦｅ（鉄）製である場合の残量を表す記号２ｃとが記されている状態を示している。また、各覗き孔２ａの形成位置は、事前に各種の溶接ワイヤＷの残量（重量）と溶接ワイヤＷの最外縁位置との関係を調査した結果に基づいて決定されていることは勿論である。
【００１５】
上述した溶接ワイヤ用スプールＡの作用効果は以下の通りである。
図２は、溶接ワイヤ用スプールＡの胴部１に溶接ワイヤＷが巻かれた状態を示している。この図２に示すように、溶接ワイヤ用スプールＡの胴部１に溶接ワイヤＷが巻かれた状態で、フランジ部２の覗き孔２ａから見える溶接ワイヤＷの最外縁と、覗き孔２ａに隣接して記されている溶接ワイヤＷの残量を表す記号２ｂ、２ｃとの位置関係から、溶接ワイヤＷの残量を容易に確認することができる。
【００１６】
図２からは、例えば溶接ワイヤＷがＡｌ（アルミニウム）製である場合、溶接ワイヤ用スプールＡに巻かれている溶接ワイヤＷの残量は約３．５ｋｇであることが確認でき、また、例えば溶接ワイヤＷがＦｅ（鉄）製である場合、溶接ワイヤ用スプールＡに巻かれている溶接ワイヤＷの残量は約７．０ｋｇであることが確認できる。
【００１７】
つまり、本実施形態に係る溶接ワイヤ用スプールＡを用いることで、作業者は溶接ワイヤＷの残量を確認する際に、溶接ワイヤ用スプールＡの保管場所から秤の設置場所まで対象の溶接ワイヤ用スプールＡを運搬する必要がなくなり、また、工事現場など、秤が近くに設置されていない場所でも溶接ワイヤＷの使用量の実績及び溶接ワイヤＷの交換時期を適切に管理することができるようになる。
以上のように、本実施形態に係る溶接ワイヤ用スプールＡによれば、溶接ワイヤＷの残量確認作業を容易にして、作業者の負担軽減及び溶接ワイヤＷの適切な管理を実現することができる。
【００１８】
〔第２実施形態〕
次に、本発明の第２実施形態について説明する。図３は、第２実施形態に係る溶接ワイヤ用スプールＢの外観図である。この図３に示すように、溶接ワイヤ用スプールＢは、第１実施形態と同様に、溶接ワイヤＷ（図３では図示省略）が巻回される円筒状の胴部１と、該胴部１の両端に設けられた円板状のフランジ部２、３とを備えている。
【００１９】
そして、フランジ部２の表面には、径方向に沿って覗き孔２ｄが形成されていると共に、該覗き孔２ｄに隣接して溶接ワイヤＷの残量を表す記号２ｂ、２ｃ、２ｅ、２ｆが溶接ワイヤＷの種類毎に記されている。より詳細には、覗き孔２ｄは、フランジ部２の径方向に沿って胴部１の縁からフランジ部２の縁に亘る長さで１つ形成されており、溶接ワイヤＷの残量を表す記号として、溶接ワイヤＷの残量を重量で表す文字２ｂ、２ｃと目盛り線２ｅ、２ｆが覗き孔２ｄに隣接して且つ覗き孔２ｄの長さ方向に沿って一定間隔で溶接ワイヤＷの種類毎に記されている。
【００２０】
なお、図３では、一例として、フランジ部２の表面において覗き孔２ｄの長さ方向に沿って、溶接ワイヤＷがＡｌ（アルミニウム）製である場合の残量を重量で表す文字２ｂ及び目盛り線２ｅと、溶接ワイヤＷがＦｅ（鉄）製である場合の残量を重量で表す文字２ｃ及び目盛り線２ｆとが一定間隔で記されている状態を示している。また、各目盛り線２ｅ、２ｆの記載位置は、事前に各種の溶接ワイヤＷの残量（重量）と溶接ワイヤＷの最外縁位置との関係を調査した結果に基づいて決定されていることは勿論である。
【００２１】
上述した溶接ワイヤ用スプールＢの作用効果は以下の通りである。
図４は、溶接ワイヤ用スプールＢの胴部１に溶接ワイヤＷが巻かれた状態を示している。この図４に示すように、溶接ワイヤ用スプールＢの胴部１に溶接ワイヤＷが巻かれた状態で、フランジ部２の覗き孔２ｄから見える溶接ワイヤＷの最外縁と、覗き孔２ｄに隣接して記されている溶接ワイヤＷの残量を表す記号２ｂ、２ｃ、２ｅ、２ｆとの位置関係から、溶接ワイヤＷの残量を容易に確認することができる。
【００２２】
図４からは、例えば溶接ワイヤＷがＡｌ（アルミニウム）製である場合、溶接ワイヤ用スプールＢに巻かれている溶接ワイヤＷの残量は約３．５ｋｇであることが確認でき、また、例えば溶接ワイヤＷがＦｅ（鉄）製である場合、溶接ワイヤ用スプールＢに巻かれている溶接ワイヤＷの残量は約７．０ｋｇであることが確認できる。
【００２３】
以上のように、本実施形態に係る溶接ワイヤ用スプールＢによれば、第１実施形態と同様に、溶接ワイヤＷの残量確認作業を容易にして、作業者の負担軽減及び溶接ワイヤＷの適切な管理を実現することができる。
【００２４】
以上、本発明の第１及び第２実施形態について説明したが、本発明はこれらの実施形態に限定されず、本発明の趣旨を逸脱しない範囲において種々変更可能であることは勿論である。例えば、上記第１及び第２実施形態では、２つのフランジ部２、３の内、一方のフランジ部２に覗き孔２ａ（２ｄ）と、溶接ワイヤＷの残量を表す記号２ｂ、２ｃ（２ｅ、２ｆ）を設ける場合を例示したが、フランジ部２、３の両方にこれらを設けても良い。
【００２５】
また、上記第１及び第２実施形態では、溶接ワイヤＷがＡｌ（アルミニウム）製である場合と、溶接ワイヤＷがＦｅ（鉄）製である場合との２種類の溶接ワイヤＷについて溶接ワイヤＷの残量を表す記号を記す場合を例示したが、３種類以上の溶接ワイヤＷについて溶接ワイヤＷの残量を表す記号を記すようにしても良い。また、同じ材質の溶接ワイヤＷについても径φの大きさによって重量は変わるため、径φ毎に溶接ワイヤＷの残量を表す記号を記すようにしても良い。
【符号の説明】
【００２６】
Ａ、Ｂ…溶接ワイヤ用スプール、Ｗ…溶接ワイヤ、１…胴部、２、３…フランジ部、２ａ、２ｄ…覗き孔、２ｂ、２ｃ、２ｅ、２ｆ…溶接ワイヤＷの残量を表す記号
【図１】
2012148306.tif 000003
【図２】
2012148306.tif 000004
【図３】
2012148306.tif 000005
【図４】
2012148306.tif 000006